(57)【要約】【課題】サーバーラックを提供する。【解決手段】サーバーラックは、少なくとも１つのサーバー素子と、この少なくとも１つのサーバー素子に対応するアセットタグとを備える。アセットタグは、アセットタグを取り除かずに少なくとも１つのサーバー素子がサーバーラックから取り除かれるように位置決めされる支持バーと、支持バーを少なくとも２つの位置の間で枢動させるように構成され、支持バーに接続されるアクチュエータと、対応するサーバー素子に関する位置と状態を提供するインジケータとなるように構成され、支持バーにより支持されるインタフェースと、を含む。【選択図】図９
2019061649.tif 000002
【特許請求の範囲】
【請求項１】
少なくとも１つのサーバー素子と、
前記少なくとも１つのサーバー素子に対応するアセットタグと、
を備えるサーバーラックであって、前記アセットタグは、
前記アセットタグを取り除かずに前記サーバー素子が前記サーバーラックから取り除かれるように位置決めされ、少なくとも２つの位置の間で枢動できる支持バーと、
前記支持バーを前記少なくとも２つの位置の間で枢動させるように構成され、前記支持バーに接続されるアクチュエータと、
対応する前記サーバー素子に関する位置と状態を提供するインジケータとなるように構成され、前記支持バーにより支持されるインタフェースと、を含むサーバーラック。
【請求項２】
前記支持バーは、前記サーバー素子の２つのサブ素子の間の水平ギャップに位置する請求項１に記載のサーバーラック。
【請求項３】
前記支持バーは、前記サーバー素子の２つのサブ素子の間の垂直ギャップに位置する請求項１に記載のサーバーラック。
【請求項４】
前記支持バーの第１の位置では、前記インタフェースが前記サーバー素子と面一になるように配置され、且つ前記支持バーの第２の位置では、前記インタフェースが前記サーバー素子と垂直になるように配置される請求項１に記載のサーバーラック。
【請求項５】
複数のサーバー素子を有するサーバーラック、ネットワーク及びデータセンターインフラストラクチャ管理データベースを備え、複数の前記サーバー素子の各々は、前記ネットワークによって前記データセンターインフラストラクチャ管理データベースに接続されるアセットタグを含むデータセンターであって、
前記アセットタグは、
前記アセットタグを取り除かずに前記サーバー素子が前記サーバーラックから取り除かれるように位置決めされ、少なくとも２つの位置の間で枢動できる支持バーと、
前記支持バーを前記少なくとも２つの位置の間で枢動させるように構成され、前記支持バーに接続されるアクチュエータと、
対応する前記サーバー素子に関する位置と状態を提供するインジケータとなるように構成され、前記支持バーにより支持されるインタフェースと、を含むデータセンター。
【請求項６】
前記支持バーは、前記サーバー素子の２つのサブ素子の間の水平ギャップに位置する請求項５に記載のデータセンター。
【請求項７】
前記支持バーは、前記サーバー素子の２つのサブ素子の間の垂直ギャップに位置する請求項５に記載のデータセンター。
【請求項８】
前記支持バーの第１の位置では、前記インタフェースが前記サーバー素子と面一になるように配置され、且つ前記支持バーの第２の位置では、前記インタフェースが前記サーバー素子と垂直になるように配置される請求項５に記載のデータセンター。
【請求項９】
前記インタフェースは、前記少なくとも１つのサーバー素子に関する通知を提供する請求項５に記載のデータセンター。
【請求項１０】
前記インタフェースは、タッチスクリーンモニターを含む請求項５に記載のデータセンター。
【発明の詳細な説明】
【技術分野】
【０００１】
本開示は、データセンターインフラストラクチャの管理に関し、より具体的には、データセンターの素子の識別子の作成や追跡に用いられるシステム、装置及び方法に関する。
【背景技術】
【０００２】
データセンターは、一般的に複数のラック（ｒａｃｋ）の中に配置されるコンピュータシステムを収納するための場所である。データセンターの管理素子は、データセンターの成功に不可欠である。管理データセンターの１つの大切な任務は、例えば、サーバー、交換器、記憶装置や電源のような独立した数千個の電気素子を追跡することにある。これらの独立素子は、何れも例えばデータセンターインフラストラクチャ管理（ｄａｔａ  ｃｅｎｔｅｒ  ｉｎｆｒａｓｔｒｕｃｔｕｒｅ  ｍａｎａｇｅｍｅｎｔ；ＤＣＩＭ）ソフトウェアによって追跡されなければならない。このような追跡は、データセンターの効果的な操作やメンテナンスに必要である。例えば、特定のサーバーがハードウェアの故障によるネットワークで検出されるエラーを発生し始めると、技術者がメンテナンス／交換を開始できるように、サーバーの位置を迅速に識別しなければならない。従って、データセンターインフラストラクチャ管理（ＤＣＩＭ）ソフトウェアは、サーバーの識別子及びその実際の位置を分からなければならない。
【発明の概要】
【発明が解決しようとする課題】
【０００３】
ラックは、データセンターの環境で複数の設備素子のフレーム又はシェルを取り付けることに用いられる。複数の素子の各々は、開放したフロントパネルを有し、両側に突出したエッジ又は耳部（ｅａｒ）を含む。これによって、ネジでモジュールをラックフレームに固定することができる。「ラックユニット（ｒａｃｋ  ｕｎｉｔ）」又は「Ｕ」（稀に「ＲＵ」ともいう）は、例えば、標準の１９インチ（４８．２６ｃｍ）ラック又は２３インチ（５８．４２ｃｍ）ラックのようなラックに取り付けられる設備の高さを説明するための測量単位である。このような標準ラックにおいて、１つのラックユニットの高さは、１．７５インチ（４４．４５ｍｍ）である。１つのラック取り付け設備のサイズは、一般的に、単位「Ｕ」で表される数字で説明される。例えば、一般的に、高さが１つのラックユニットである設備は「１Ｕ」と称され、高さが２つのラックユニットである設備は「２Ｕ」と称される。
【０００４】
一般的に、素子の位置は、識別データセンターインフラストラクチャ管理（ＤＣＩＭ）データベースにおけるラックのラック番号で表現される。ラック番号は、ラック位置を特定する。また、ラックの垂直方向の数によって素子のラックにおける高さ（例えば、位置７Ｕ）を確定できる。
【０００５】
一般的に、特定のサーバーがエラーを発生し始めると、故障したハードウェアは、例えば、点滅する赤いライトのようなインジケータ（ｉｎｄｉｃａｔｏｒ）を発生する。従って、データセンターを修理する技術者は、多くの場合このインジケータの検索に広範囲に及ぶ調査をしなければならない。大型データセンターにおいて、技術者にとって、独立した数千個の電気素子（例えば、サーバー、スイッチ、記憶装置や電源等）を含んだ空間の中から単一の点滅する赤いライトを識別するのは、煩雑な任務である。従って、このような識別には、かなり時間と費用がかかり、エラーを引き起こしやすい。上記に鑑みて、故障した素子及びその実際の位置をより容易に識別することのできる手段が望まれている。
【課題を解決するための手段】
【０００６】
本開示内容の一態様は、少なくとも１つのサーバー素子と、この少なくとも１つのサーバー素子に対応するアセットタグと、を備えるサーバーラックであって、アセットタグは、アセットタグを取り除かずに少なくとも１つのサーバー素子がサーバーラックから取り除かれるように位置決めされ、少なくとも２つの位置の間で枢動できる支持バーと、支持バーを少なくとも２つの位置の間で枢動させるように構成され、支持バーに接続されるアクチュエータと、対応するサーバー素子に関する位置と状態を提供するインジケータとなるように構成され、支持バーにより支持されるインタフェースと、を含むサーバーラックを提供する。
【０００７】
本開示の一部の実施例によると、支持バーは、サーバー素子の２つのサブ素子の間の水平ギャップに位置する。
【０００８】
本開示の一部の実施例によると、支持バーは、サーバー素子の２つのサブ素子の間の垂直ギャップに位置する。
【０００９】
本開示の一部の実施例によると、支持バーの第１の位置では、インタフェースがサーバー素子と面一になるように配置され、且つ支持バーの第２の位置では、インタフェースがサーバー素子と垂直になるように配置される。
【００１０】
本開示の一部の実施例によると、インタフェースは、少なくとも１つのサーバー素子に関する通知を提供する。
【００１１】
本開示の一部の実施例によると、通知は、少なくとも１つのサーバー素子の状態に関する情報を提供する。
【００１２】
本開示の一部の実施例によると、通知は、少なくとも１つのサーバー素子の故障を知らせる。
【００１３】
本開示内容の別の態様は、複数のサーバー素子を有するサーバーラック、ネットワーク及びデータセンターインフラストラクチャ管理データベースを備え、各サーバー素子は、ネットワークによってデータセンターインフラストラクチャ管理データベースに接続されるアセットタグを含むデータセンターであって、アセットタグは、アセットタグを取り除かずにサーバー素子がサーバーラックから取り除かれるように位置決めされ、少なくとも２つの位置の間で枢動できる支持バーと、支持バーを少なくとも２つの位置の間で枢動させるように構成され、支持バーに接続されるアクチュエータと、対応するサーバー素子に関する位置と状態を提供するインジケータとなるように構成され、支持バーにより支持されるインタフェースと、を含むデータセンターを提供する。
【００１４】
本開示の一部の実施例によると、支持バーは、サーバー素子の２つのサブ素子の間の水平ギャップに位置する。
【００１５】
本開示の一部の実施例によると、支持バーは、サーバー素子の２つのサブ素子の間の垂直ギャップに位置する。
【００１６】
本開示の一部の実施例によると、支持バーの第１の位置では、インタフェースがサーバー素子と面一になるように配置され、且つ支持バーの第２の位置では、インタフェースがサーバー素子と垂直になるように配置される。
【００１７】
本開示の一部の実施例によると、インタフェースは、少なくとも１つのサーバー素子に関する通知を提供する。
【００１８】
本開示の一部の実施例によると、通知は、少なくとも１つのサーバー素子の状態に関する情報を提供する。
【００１９】
本開示の一部の実施例によると、通知は、少なくとも１つのサーバー素子の故障を知らせる。
【００２０】
本開示の一部の実施例によると、インタフェースは、モニターを含む。
【００２１】
本開示の一部の実施例によると、インタフェースは、タッチスクリーンモニターを含む。
【図面の簡単な説明】
【００２２】
本開示は、添付の図面と併せて読むと、以下の詳細な説明から最もよく理解される。注意すべきなのは、業界標準の実践によれば、様々な特徴は、定率に縮尺して描かれておらず、例示の目的のみのものである。事実上、明確にするために、様々な構成要素のサイズは任意に増加又は減少させることができる。
【図１】本開示の実施例の一部によるデータセンターを示す模式図である。
【図２Ａ】本開示の実施例による、データセンターで関連するサーバーを識別するためのアセットタグの配置の拡大斜視図である。
【図２Ｂ】図２Ａのアセットタグ及びサーバーを示す拡大正面図である。
【図３】本開示の実施例による、図２Ａ、図２Ｂのアセットタグの駆動時の回転模式図である。
【図４】本開示の実施例による、図２Ａと図２Ｂのアセットタグが駆動位置に位置する場合の模式図である。
【図５Ａ】本開示の実施例による、図２Ａと図２Ｂのアセットタグが駆動位置に位置する場合の他の図面である。
【図５Ｂ】本開示の実施例による、図２Ａと図２Ｂのアセットタグが駆動位置に位置する場合の他の図面である。
【図６】本開示の実施例によるサーバーの配置を示す拡大斜視図である。
【図７】図６におけるアセットタグとサーバーを示す拡大正面図である。
【図８】本開示の実施例による、図６と図７のアセットタグの駆動時の回転模式図である。
【図９】本開示の実施例による、図６と図７のアセットタグが駆動位置に位置する場合の模式図である。
【図１０Ａ】本開示の実施例による、図６と図７のアセットタグが駆動位置に位置する場合の正面図である。
【図１０Ｂ】本開示の実施例による、図６と図７のアセットタグが駆動位置に位置する場合の側面図である。
【発明を実施するための形態】
【００２３】
本開示を添付図面を参照して説明する。添付図面全体にわたって、類似の参照番号が類似又は同等の素子を指すように使用される。添付図面は、単に本開示を説明するために提供されているので、定率に縮尺して描かれたものではない。本開示のいくつかの態様を、例示的な適用例を参照して以下に説明する。開示の完全な理解を提供するために、多くの具体的な細部、関係、及び方法が示されていることを理解されたい。しかし、当業者は、１つ又は複数の細部がなくても、その他の方法によって本開示を実施できることを容易に想到する。他の場合、開示を不明瞭にすることを避けるために、周知の構造又は動作は詳細には示されていない。いくつかの工程は、異なる順序で及び／又は他の工程又はイベントと同時に行われる可能性があるので、本開示は、示された工程又はイベントの順序に制限されない。さらに、示された全ての工程又はイベントが、本開示の方法に従って実行される必要はない。
【００２４】
本開示の実施例は、故障素子（例えばサーバー）及びそのデータセンターにおける実際位置を識別するためのアセットタグを提供する。アセットタグは、故障が発生した素子及びその実際位置を識別することだけでなく、他の情報を提供することもできる。例えば、ある実施例において、アセットタグは、技術者が在庫保管ユニット識別子（ｓｔｏｃｋ  ｋｅｅｐｉｎｇ  ｕｎｉｔ  ｉｄｅｎｔｉｆｉｃａｔｉｏｎｓ；ＳＫＵ  ＩＤｓ）の状態や構成を知るためのインタフェースであってもよい。アセットタグがサーバー素子の外側に位置するため、サーバー素子内にアセットタグ用の内部空間を必要としない。これにより、アセットタグをサーバー外部に単独で取り付け及びメンテナンスして依然としてサーバーの（内部）素子をメンテナンスすることを許容する。
【００２５】
例えばタッチスクリーンのような電子インタフェースを、技術者へエラーや検査情報を表示するように、アセットタグに設けてもよい。ある実施例において、アセットタグは、技術者が修理を完了した後でアセットタグをリセットする入力機能を有してもよい。また、高耐久性の迅速、低コスト、カスタマイズの製造を許容するように、アセットタグの形や設計は、変えられ得る。サーバーラックに位置する電気素子へのアクセシビリティ（アクセスしやすさ）のために、アセットタグの形や設計は異なってもよい。ある実施例において、アセットタグは、電気素子の間に位置する垂直回転素子に固定されてもよい。従って、一度トリガーされると、アセットタグは、サーバーラックに収納される電気素子へのアクセスを邪魔せずに、技術者に識別されやすいように回転することができる。代替的な実施例において、アセットタグは、電気素子の下に位置する水平回転素子に固定されてもよい。従って、一度トリガーされると、アセットタグは、サーバーラックに収納される電気素子へのアクセスを邪魔せずに、技術者に識別されやすいように回転することができる。アセットタグの様々な構成については、図１〜図１０を参照してより詳しく検討する。
【００２６】
図１は、データセンター１を示す模式図である。データセンター１は、複数の交換装置５０（ｓｗｉｔｃｈ  ｄｅｖｉｃｅ）を有するサーバーラック１０と、ネットワーク２０と、データセンターインフラストラクチャ管理（ｄａｔａ  ｃｅｎｔｅｒ  ｉｎｆｒａｓｔｒｕｃｔｕｒｅ  ｍａｎａｇｅｍｅｎｔ；ＤＣＩＭ）データベース３０とを備えてもよい。複数の交換装置５０の各々は、例えば中央処理ユニット、サーボコントローラ、センサー、記憶装置、電源、ファン、メモリモジュール等（未図示）のような該当分野に既知の各種の素子を含んでもよい。サーバーラック１０は、それぞれ対応するアセットタグ１００（ａｓｓｅｔ  ｉｄｅｎｔｉｆｉｃａｔｉｏｎ）を有する複数の交換装置５０を含んでもよい。ある実施例において、交換装置５０内の複数の素子の各々は、対応するアセットタグ１００を有してもよい。本開示の他の実施例において、サーバーラックがアセットと見なされるため、サーバーラック１０は、単一のアセットタグ９９を有してもよい。図１に示すように、複数の交換装置５０の各々は、対応するアセットタグ１００を有するが、注意すべきなのは、それぞれ複数のアセットタグ１００を含んでもよい。従って、異なる状況で異なるタグを使用することができる。例えば、交換装置５０内の冷却ファンが故障した時に、関連するアセットタグを起動してよい。また、交換装置５０内の電力供給に支障が生じると（ｃｏｍｐｒｏｍｉｓｅｄ）、関連するアセットタグを起動してよい。
【００２７】
本明細書で使用する「タグ」という用語は、ハードウェア、メッセージ、信号等として定義されてもよく、必ずしもタグが付されるアセットに関連する回路又はソフトウェアに固有のもの（ｉｎｔｒｉｎｓｉｃ）ではない。従って、タグは、アセットの外部から対応するアセットに添付することができ、対応するアセットの内部操作とは独立していてもよい。
【００２８】
ある実施例において、交換装置５０と関連するアセットタグ１００は、直接交換装置５０に又はサーバーラック１０に取り付けられてもよい。サーバーラック１０と関連する交換装置５０は、直接サーバーラック１０に取り付けられてもよい。ある実施例において、アセットタグ１００は、接着剤、金属留め具又は両方の組み合わせによって、対応するアセットに取り付けられてもよい。理解すべきなのは、多くの他の方法を使用してタグと対応するアセットとを物理的に接続でき、且つ本開示は本明細書に述べた実施例に限定されない。つまり、図６に示すようにアセットタグ１００を取り付ける必要は必ずしもなく、且つアセットタグはアセットにおける他の合理的で適切な如何なる位置にも配置されることが予期される。交換装置５０は、アセットタグ１００と関連するように、サーバーラック１０に取り付けられてもよい。ここで「１つのラックシステム」、「１つのサーバー」、「１つのハードドライブ」、「１つのサーボコントローラ」等が言及されるが、理解すべきなのは、本明細書の実施例における単数形の使用は、様々な実施形態における複数形の使用を排除するものではない。従って、データセンター１の構成は例示だけであり、本開示を限定するものではない。例えば、データセンターは、数千個のサーバーラック、及びデータセンターと対応するネットワークを有する複数のデータセンターインフラストラクチャ管理（ＤＣＩＭ）を含んでもよい。
【００２９】
ＤＣＩＭデータベース３０は、図１に示すように、データセンター１内に位置してもよい。他の実施例において、ＤＣＩＭデータベース３０は、データセンター１から遠く離れてもよい。複数のアセットタグ１００の各々は、ネットワーク２０を介してＤＣＩＭデータベース３０と対応してもよい。ネットワーク２０は、例えば、ローカルエリアネットワーク（ｌｏｃａｌ  ａｒｅａ  ｎｅｔｗｏｒｋ；ＬＡＮ）、無線ローカルエリアネットワーク（ｗｉｒｅｌｅｓｓ  ｌｏｃａｌ  ａｒｅａ  ｎｅｔｗｏｒｋ；ＷＬＡＮ）、ワイドエリアネットワーク（ｗｉｄｅ  ａｒｅａ  ｎｅｔｗｏｒｋ；ＷＡＮ）、メトロポリタンエリアネットワーク（ｍｅｔｒｏｐｏｌｉｔａｎ  ａｒｅａ  ｎｅｔｗｏｋ；ＭＡＮ）、グローバルエリアネットワーク、例えばインターネットとファイバチャネル構造のような分散型コンピュータシステムであってもよい。ＤＣＩＭデータベース３０は、ネットワーク２０によってアセットタグ１００に通知を発信してもよい。例えば、交換装置５０は、例えばベースボード管理コントローラ（ＢＭＣ）エラーという操作エラーに遭うと、アセットタグ１００を起動することができる。技術者は、同時に交換装置５０の実際位置と操作エラーを識別するように、アセットタグ１００でこの通知を視覚インジケータに変えてよい。この通知の内容は、以下に更に詳しく検討する。
【００３０】
図２Ａは、より大きなスケールで電気素子を識別するためのアセットタグ１００の配置及びそのデータセンターでの実際位置を示す。アセットタグ１００は、インタフェース（ｉｎｔｅｒｆａｃｅ）１０１及びポスト（ｐｏｓｔ）１０２を有する。ポスト１０２は、交換装置５０に位置してもよい。交換装置５０は、複数のハードドライブ５１Ｎを収納するように構成される。注意すべきなのは、交換装置５０におけるアセットタグ１００の構成は例示だけであり、本開示を限定するものではない。例えば、アセットタグ１００は、サーバー装置、交換装置又は電源に位置してもよい。アセットタグ１００は、典型的なデータセンターの熱変動、損傷と摩耗に耐えるように、金属、プラスチック、複合材料又はその組み合わせからなってよい。一部の実施例において、アセットタグ１００及びその素子は、曲げ加工や、成形、スタンピングのような従来の金属製造技術を使用して、金属板により製造されてよい。従って、ある実施例において、アセットタグ１００は、安価に製造されることができる。又は、アセットタグ１００及びその素子は、アルミニウム合金、スチール合金又はその如何なる組み合わせで製造されてもよい。理解すべきなのは、アセットタグ１００及びその素子は、製造コストが低く耐久性のある如何なる材料で製造されてもよい。上記の材料は例示だけであり、本開示を限定するものではない。従って、本開示内容は、各実施例において如何なる材料又はその組み合わせを使用できることが予期され、ここで限定されない。以下に更に詳しくアセットタグ１００を検討する。
【００３１】
アセットタグ１００は、アクチュエータ（ａｃｔｕａｔｏｒ）１０３によって方向４０でＹ軸回りに回転することができる。アクチュエータ１０３は、受信機（未図示）及び動力源（未図示）を含んでもよい。動力源は、低エネルギーであってもよい。動力源は、交換装置５０に接続されてもよいし、独立した動力源に接続されてもよい。動力源としては、電圧又は電流、空気圧又は油圧が含まれ得る。アセットタグ１００は、複数のハードドライブ５１Ｎに関する情報を提供するように、インタフェース１０１を含んでもよい。例えば、インタフェース１０１は、技術者に複数のハードドライブ５１Ｎに関する通知があることを警告するインジケータ（ｉｎｄｉｃａｔｏｒ）を含んでもよい。ある実施例において、インジケータは、通知の内容を具体的に詳しく説明する情報を含んでもよい。他の実施例において、インジケータは、通知内容を受信するために技術者がスキャンする必要があるバーコード又はコード情報を含んでもよい。この通知は、故障通知を含むことがある。例えば、交換装置５０が例えばＢＭＣエラーという操作エラーに遭うと、インタフェース１０１はイベントログを提供することができる。代わりに、インタフェース１０１は、通知の細部を受信するために技術者がスキャンするＱＲコード（登録商標）のようなインジケータを単に提供してもよい。インタフェース１０１は、技術者に通知の理由を示すための特別なライトを含んでもよい。例えば、ある実施例において、赤いライトを起動してエラー又は素子の故障を示してもよい。別の実施例において、青いライトを起動して技術者に修理又は交換する必要がある特定の素子の位置を示してもよい。ＤＣＩＭデータベース３０（図１に示す）において、特別なライトに対してコーディングしてもよい。
【００３２】
アセットタグ１００は、例えば赤外線（ｉｎｆｒａｒｅｄ；ＩＲ）素子のようなローカル近接感知（ｌｏｃａｌ  ｐｒｏｘｉｍｉｔｙ  ｓｅｎｓｉｎｇ）を提供するための素子を含んでもよい。アセットタグ１００は、例えば無線周波数識別（ｒａｄｉｏ−ｆｒｅｑｕｅｎｃｙ  ｉｄｅｎｔｉｆｉｃａｔｉｏｎ；ＲＦＩＤ）素子のような中距離メッセージング（ｉｎｔｅｒｍｅｄｉａｔｅ  ｒａｎｇｅ  ｍｅｓｓａｇｉｎｇ）に用いられる素子を含んでもよい。アセットタグ１００のローカル近接素子は、技術者、アセットタグ１００に対応するアセット、隣接するアセットの間の情報交換を許容する範囲を有してもよい。サーバーラック１０における全てのアセットが垂直に積み重ねられるので、例えば業界標準に定められるように、隣接するアセットは、実質にアセットタグ１００に関連するアセットより低く又は高いアセットを含んでもよい。ある実施例において、サーバーラックに単一のアセットタグ１００を取り付けることを実行することができる。このような場合、アセットタグは、特定の素子が故障したことを指定する通知を提供することができる。本開示の他の実施例において、隣接するアセットには、隣接するサーバーラックに位置するアセット（未図示）を含んでもよい。中距離素子は、データセンター１の内の複数のラックの間でワイヤレスによるデータ共有を実現することができる。ラジオ波通信は、位置の大まかな測定値を提供し、一般的に視野（ｓｉｇｈｔ  ｄｅｐｌｏｙｍｅｎｔｓ）の数メートル以内にある。赤外線通信（ＩＲ  ｃｏｍｍｕｎｉｃａｉｏｎ）も実現でき、約０．２ｍ〜１ｍの間の更なる正確な範囲を提供するためである。ローカル近接感知と中距離感知によってサーバーラック１０（図１に示す）内のアセット（交換装置５０）の位置を検索することができる。又は、アセットタグ１００は、その正確な位置をデータセンターインフラストラクチャ管理（ＤＣＩＭ）（図１に示す）に示すことができる。
【００３３】
通知は、単に識別通知を含んでもよい。例えば、技術者は、特定のハードドライブ５１Ｎの状態と位置を検索するように、データセンターインフラストラクチャ管理（ＤＣＩＭ）（図１に示す）と対話することができる。アセットタグ１００は、そのインタフェース１０１におけるインジケータを起動するように、データセンターインフラストラクチャ管理（ＤＣＩＭ）からの指令を受信して、技術者にその位置を注意させてよい。インタフェース１０１は、特定のハードドライブ５１Ｎの状態に関する付加情報を技術者に提供することができる。ある実施例において、インタフェース１０１は、入力機能を更に含んでもよい。例えば、技術者は、既に対応するサーバー素子（例えば、ハードドライブ５１Ｎ）を修理したら、修理完成を示すようにアセットタグ１００をリセットしてよい。また、入力機能によってアセットタグ１００をリセットすることで、任務が完成したことを確認するために、ＤＣＩＭデータベース３０がサーバー素子（例えば、ハードドライブ５１Ｎ）に対して別の評価を実行するように指示してよい。
【００３４】
図２Ｂは、アセットタグ１００及び交換装置５０を示す正面図である。交換装置５０は、ハードドライブ５１Ｎ（１）−５１Ｎ（６）を含む。ハードドライブの何れも、ハードドライブを交換装置５０から取り外すことを可能にするアクセス入力（ａｃｃｅｓｓ  ｉｎｐｕｔ）５２Ｎを含む。複数のハードドライブの各々は、交換装置５０の中に挿入されるようにハードドライブキャリア（未図示）に配置される。ハードドライブキャリアは、少なくともタグの付近の垂直ギャップ（ｖｅｒｔｉｃａｌ  ｇａｐ）４９Ａ、４９Ｂによって分けられる。本開示のある実施例において、アセットタグ１００は、複数のハードドライブ５１Ｎの間のギャップ４９Ａの中に置かれる。この実施例において、ギャップ４９Ａは、ハードドライブ５１Ｎ（１）と５１Ｎ（２）を分離させ、５１Ｎ（４）と５１Ｎ（５）を分離させる。具体的に、アセットタグ１００のポスト１０２は、ハードドライブ５１Ｎ（１）、５１Ｎ（２）、５１Ｎ（４）と５１Ｎ（５）の間のギャップ４９の中に位置するように構成されてもよい。従って、ポスト１０２の厚さは、ギャップ４９と同じ又はそのサイズより小さくてもよい。また、インタフェース１０１の厚さは、ギャップ４９と同じ又はそのサイズより小さくてもよい。
【００３５】
図３は、起動時のアセットタグ１００の回転を示す。アセットタグは、Ｘ−Ｙ平面からＹ−Ｚ平面まで回転する。インジケータがアセットタグ１００を起動して、アセットタグは技術者の視線で９０度回転することができる。
【００３６】
図４、図５Ａ及び図５Ｂは、駆動位置に位置するアセットタグ１００を示す。インタフェース１０１は、交換装置５０の正面に対して垂直となる。アセットタグ１００のインタフェース１０１及びポスト１０２は、ハードドライブ５１Ｎ（１）、５１Ｎ（２）、５１Ｎ（４）と５１Ｎ（５）へのアクセスを邪魔しない。図５Ａに示すように、ハードドライブ５１Ｎ（１）、５１Ｎ（２）、５１Ｎ（４）と５１Ｎ（５）は、完全に技術者によりアクセスされ得る。図５Ｂに示すように、アセットタグ１００は、技術者にとって完全に視認可能である。アセットタグ１００は、水平に指向されてもよい。下記の図６〜図１０を参照して、この構造を更に詳しく検討する。
【００３７】
図６は、より大きなスケールで電気素子を識別するためのアセットタグ２００の配置及びそのデータセンターにおける実際位置を示す。アセットタグ２００は、アクチュエータ２０３によって方向２４０でＸ軸回りに回転することができる。アクチュエータ２０３は、受信機（未図示）及び動力源（未図示）を含んでもよい。動力源は、低エネルギーであってもよい。動力源は、サーバー２５０に接続されてもよいし、独立した動力源に接続されてもよい。動力源としては、電圧又は電流、空気圧又は油圧が含まれ得る。アセットタグ２００は、複数のハードドライブ２５１Ｎに関する情報を提供するようにインタフェース２０１を含んでもよい。例えば、インタフェース２０１は、技術者に複数のハードドライブ２５１Ｎに関する通知があることを警告するインジケータを含んでもよい。この通知は、故障通知を含むことがある。例えば、サーバー２５０が例えばＢＭＣエラーという操作エラーに遭うと、インタフェース２０１はイベントログを提供することができる。代わりに、インタフェース２０１は、通知の細部を受信するために技術者がスキャンするＱＲコード（登録商標）のようなインジケータを単に提供してもよい。インタフェース２０１は、技術者に通知の理由を示すための特別なライトを含んでもよい。例えば、ある実施例において、赤いライトを起動してエラー又は素子の故障を指示してよい。別の実施例において、青いライトを起動して技術者に修理又は交換する必要がある特定の素子の位置を示してよい。ＤＣＩＭデータベース３０（図１に示す）で特別なライトに対してコーディングすることができる。ある実施例において、インタフェース２０１は、専門的に前記通知の理由を詳しく説明するモニターを含んでもよい。モニターは、入力を受信するタッチスクリーンモニターであってもよい。ある実施例において、通知を喚起する素子に対して修理した後で、技術者は、タッチスクリーンによって標識をリセットすることができる。
【００３８】
この通知は、単に識別通知を含んでもよい。例えば、技術者は、特定のハードドライブ２５１Ｎの状態と位置を検索するように、データセンターインフラストラクチャ管理（ＤＣＩＭ）（図１に示す）と対話することができる。アセットタグ２００は、技術者にその位置を注意させるために、データセンターインフラストラクチャ管理（ＤＣＩＭ）からの指令を受信したら、そのインタフェース２０１におけるインジケータを起動させることができる。インタフェース２０１は、技術者に特定のハードドライブ２５１Ｎの状態に関する付加情報を提供することができる。ある実施例において、インタフェース２０１は、入力機能を更に含んでもよい。例えば、技術者は、既に対応するサーバー素子（例えば、ハードドライブ２５１Ｎ）を修理したら、修理完成を示すようにアセットタグ２００をリセットしてよい。また、入力機能によってアセットタグ２００をリセットすることで、任務が完成したことを確認するために、ＤＣＩＭデータベース３０（図１に示す）がサーバー素子（例えば、ハードドライブ２５１Ｎ）に対して別の評価を実行するように指示してよい。
【００３９】
図７は、アセットタグ２００及びサーバー２５０の正面図を示す。サーバー２５０は、ハードドライブ２５１Ｎ（１）−２５１Ｎ（６）を含む。複数のハードドライブの何れも、ハードドライブをサーバー２５０から取り外すことを可能にするアクセス入力２５２Ｎを含む。複数のハードドライブの各々は、サーバー２５０の中に挿入されるようにハードドライブキャリア（未図示）に配置される。ハードドライブキャリアは、少なくともタグの付近の水平ギャップ（ｈｏｒｉｚｏｎｔａｌ  ｇａｐ）４８Ａ、４８Ｂによって分けられる。本開示のある実施例において、アセットタグ２００は、ハードドライブ２５１Ｎの間でギャップ４８Ａの中に置かれる。この実施例において、ギャップ４８Ａは、ハードドライブ２５１Ｎ（２）のベース部にある。具体的に、アセットタグ２００のポスト２０２は、ちょうどハードドライブ２５１Ｎ（２）の直下のギャップ４８Ａの中に位置するように構成されてもよい。従って、ポスト２０２の厚さは、ギャップ４８Ａと同じ又はそのサイズより小さくてもよい。また、インタフェース２０１の厚さは、ギャップ４８Ａと同じ又はそのサイズより小さくてもよい。
【００４０】
図８は、起動時のアセットタグ２００の回転を示す。アセットタグは、Ｘ−Ｙ平面と平行する位置からＸ−Ｚ平面と平行する位置まで回転する。インジケータは、アセットタグ２００を起動して、アセットタグが９０度回転することができる。
【００４１】
図９、図１０Ａ及び図１０Ｂは、駆動位置に位置するアセットタグ２００を示す。インタフェース２０１は、サーバー２５０の正面に対して垂直となる。アセットタグ２００のインタフェース２０１及びポスト２０２は、ハードドライブ２５１Ｎ（２）へのアクセスを邪魔しない。図１０Ａに示すように、ハードドライブ２５１Ｎ（２）は、完全に技術者によってアクセスされ得る。図１０Ｂに示すように、アセットタグ２００は、技術者にとって完全に視認可能である。
【００４２】
本開示の実施例は、サーバーラックに関する。サーバーラックは、少なくとも１つのサーバー素子と、この少なくとも１つのサーバー素子に対応するアセットタグと、を備える。アセットタグは、少なくとも１つの素子がサーバーラックから取り除かれてもよいがアセットタグを取り除く必要がないように位置決めされる支持バーと、支持バーを少なくとも２つの位置の間で枢動させるように構成され、支持バーに接続されるアクチュエータと、対応するサーバー素子に関する位置と状態を提供するインジケータとなるように構成され、支持バーにより支持されるインタフェースと、を含む。
【００４３】
ある実施例において、支持バーは、サーバー素子の２つのサブ素子の間の水平ギャップに位置する。又は、他の実施例において、支持バーは、サーバー素子の２つのサブ素子を分離させる垂直ギャップの間に位置する。ある実施例において、支持バーの第１の位置では、インタフェースがサーバー素子と面一になるように配置される。又は、他の実施例において、支持バーの第２の位置では、インタフェースがサーバー素子と垂直になるように配置される。本開示のある実施例において、インタフェースは、少なくとも１つのサーバー素子に関する通知を提供する。他の実施例において、通知は、少なくとも１つのサーバー素子の状態に関する情報を提供する。ある実施例において、通知は、少なくとも１つのサーバー素子の故障を知らせる。
【００４４】
本開示の実施例は、データセンターに関する。データセンターは、複数のサーバーを有するサーバーラック、ネットワーク及びデータセンターインフラストラクチャ管理データベースを含んでもよい。ある実施例において、アセットタグは、支持バーを含む。この支持バーは、このアセットタグを取り除かずに、少なくとも１つのサーバ素子がサーバーラックから取り除かれるように位置決めされる。アセットタグは、支持バーにより支持されるインタフェースを更に含む。このインタフェースは、対応するサーバー素子に関する位置と状態を提供するインジケータとなるように構成される。
【００４５】
以上、本開示の様々な実施例を説明したが、それらは限定ではなく、例として提示されたものであることを理解されたい。本開示の精神と範囲から逸脱しない限り、多様の変更を加えることができる。従って、本開示の広さ及び範囲は、上記の実施形態の何れにも制限されるべきではない。代わりに、本開示の範囲は、添付の特許請求の範囲及びそれらの等価物に基づいて定義されるべきである。
【００４６】
本開示のために１つ又は複数の実施形態が示され、記載されているが、本明細書及び図面を読んで理解すると、当業者には均等の変更及び修正が想到される。さらに、本開示の特定の特徴は、いくつかの実施形態のうちの１つのみに向けられ得るが、そのような特徴は、任意の所与の又は特定の適用にとって望ましく有利な他の実施形態の１つ又は複数の他の特徴と組み合わせられ得る。
【００４７】
本明細書で使用する用語は、特定の実施例のみを説明するためのものであり、本開示を限定するものではない。本明細書で使用されるように、単数形の「一つ」及び「前記」は、文脈上他に明確に指示されない限り、複数形も含むことが意図される。さらに、「含む」、「備える」、「有する」、「からなる」、「形成する」又はそれらの変形の用語は、詳細な説明及び／又は特許請求の範囲において使用され、これらの用語は、「含む」という用語と類似的な態様で含まれることが意図されている。
【００４８】
他に定義されない限り、本明細書で使用される全ての用語（技術用語及び科学用語を含む）は、当業者によって一般的に理解されるものと同じ意味を有する。本明細書で明示的に定義されない限り、一般的に使用される辞書に定義された用語のような用語は、関連技術の文脈における意味と一致する意味を有すると解釈されるべきであり、理想化された又は過度に形式的な意味で解釈されるべきでない。
【符号の説明】
【００４９】
１  データセンター
１０  サーバーラック
２０  ネットワーク
３０  データベース
４０、２４０  方向
４８、４８Ａ、４８Ｂ  水平ギャップ
４９、４９Ａ、４９Ｂ  垂直ギャップ
５０  交換装置
５１Ｎ、５１Ｎ（１）、５１Ｎ（２）、５１Ｎ（３）、５１Ｎ（４）、５１Ｎ（５）、５１Ｎ（６）、２５１Ｎ、２５１Ｎ（１）、２５１Ｎ（２）、２５１Ｎ（３）、２５１Ｎ（４）、２５１Ｎ（５）、２５１Ｎ（６）  ハードドライブ
５２Ｎ、２５２Ｎ  アクセス入力
９９、１００、２００  アセットタグ
１０１、２０１  インタフェース
１０２、２０２  ポスト
１０３、２０３  アクチュエータ
２５０  サーバー
Ｘ、Ｙ、Ｚ  Ｘ軸、Ｙ軸、Ｚ軸
【図１】
2019061649.tif 000003
【図２Ａ】
2019061649.tif 000004
【図２Ｂ】
2019061649.tif 000005
【図３】
2019061649.tif 000006
【図４】
2019061649.tif 000007
【図５Ａ】
2019061649.tif 000008
【図５Ｂ】
2019061649.tif 000009
【図６】
2019061649.tif 000010
【図７】
2019061649.tif 000011
【図８】
2019061649.tif 000012
【図９】
2019061649.tif 000013
【図１０Ａ】
2019061649.tif 000014
【図１０Ｂ】
2019061649.tif 000015